(57)【特許請求の範囲】
【請求項１】
独立して垂立可能とした一対の第一及び第二のフレーム間にスクリーンを張設するとともに、該スクリーンを前記第一のフレームから引き出し、あるいは第一のフレームに収納可能とし、前記第一のフレームには前記第一及び第二のフレームの間隔を所定間隔に保持する間隔保持棒の一端を取着し、前記第二のフレームには前記間隔保持棒の他端を着脱可能に保持する保持部を設け、前記第一のフレームの上端部に前記間隔保持棒を回動可能に支持し、前記第一のフレームには前記間隔保持棒を収納可能とした収容溝を設けたことを特徴とする簡易衝立。
【請求項２】
前記第一のフレーム内には、前記スクリーンを巻取りあるいは巻戻し可能とした巻取軸と、該巻取軸にスクリーン巻取り方向の回転力を付与する付勢手段とを設けたことを特徴とする請求項１記載の簡易衝立。
【請求項３】
前記保持部は、バネにより前記間隔保持棒の保持位置に突出するラッチ部材と、前記ラッチ部材を前記間隔保持棒の保持位置から後退操作可能とした操作ノブとから構成し、前記ラッチ部材及び操作ノブを前記第二のフレームの上端部に設けたことを特徴とする請求項１または２記載の簡易衝立。
【請求項４】
前記第二のフレームには前記間隔保持棒の先端部を挿入可能とした収容溝を設け、前記ラッチ部材は前記収容溝内に突出して前記間隔保持棒の先端部を支持可能とし、前記間隔保持棒の先端部を収容溝内で下方から移動させるとき、前記先端部で押圧して前記ラッチ部材を収容溝内から後退可能とするとともに、前記先端部がラッチ部材を乗り越えたとき、前記バネにより該ラッチ部材を前記間隔保持棒の保持位置に復帰可能としたことを特徴とする請求項３記載の簡易衝立。
【請求項５】
前記第一及び第二のフレームは、共通の形材で構成したことを特徴とする請求項１乃至４のいずれかに記載の簡易衝立。
【発明の詳細な説明】
【０００１】
【発明の属する技術分野】
この発明は、床面上に垂立される一対のフレーム間でスクリーンを引き出して使用するロールブラインド型の簡易衝立に関するものである。
【０００２】
【従来の技術】
実開平４−１１６５１３号には、一対のフレーム間にスクリーンを支持した簡易間仕切りが開示されている。この簡易間仕切りは、固定フレーム内にスクリーンの巻取り方向に付勢された巻取りパイプを備え、その付勢力に抗して固定フレームに対し移動フレームを移動させることにより、固定パイプからスクリーンを引き出し、あるいはその付勢力によりスクリーンを巻取りパイプに巻取り可能としている。
【０００３】
そして、スクリーンを所望位置まで引き出した状態で、両フレームを所定間隔に保持するために、両フレーム間にはパンタグラフ機構が配設されている。
【０００４】
【発明が解決しようとする課題】
ところが、上記のような簡易間仕切りでは、パンタグラフ機構を必要とすることから、部品点数が増大するとともに、組み立て工数も増大する。従って、製造コストが上昇するという問題点がある。
【０００５】
この発明の目的は、スクリーンを引き出した状態でフレームを所定間隔に容易に保持可能としながら、部品点数を削減して製造コストを低減し得る簡易衝立を提供することにある。
【０００６】
【課題を解決するための手段】
請求項１では、独立して垂立可能とした一対の第一及び第二のフレーム間にスクリーンを張設するとともに、該スクリーンを前記第一のフレームから引き出し、あるいは第一のフレームに収納可能とし、前記第一のフレームには前記第一及び第二のフレームの間隔を所定間隔に保持する間隔保持棒の一端を取着し、前記第二のフレームには前記間隔保持棒の他端を着脱可能に保持する保持部を設け、前記第一のフレームの上端部に前記間隔保持棒を回動可能に支持し、前記第一のフレームには前記間隔保持棒を収納可能とした収容溝を設けた。
【０００７】
請求項２では、前記第一のフレーム内には、前記スクリーンを巻取りあるいは巻戻し可能とした巻取軸と、該巻取軸にスクリーン巻取り方向の回転力を付与する付勢手段とを設けた。
【０００８】
請求項３では、前記保持部は、バネにより前記間隔保持棒の保持位置に突出するラッチ部材と、前記ラッチ部材を前記間隔保持棒の保持位置から後退操作可能とした操作ノブとから構成し、前記ラッチ部材及び操作ノブを前記第二のフレームの上端部に設けた。
【０００９】
請求項４では、前記第二のフレームには前記間隔保持棒の先端部を挿入可能とした収容溝を設け、前記ラッチ部材は前記収容溝内に突出して前記間隔保持棒の先端部を支持可能とし、前記間隔保持棒の先端部を収容溝内で下方から移動させるとき、前記先端部で押圧して前記ラッチ部材を収容溝内から後退可能とするとともに、前記先端部がラッチ部材を乗り越えたとき、前記バネにより該ラッチ部材を前記間隔保持棒の保持位置に復帰可能とした。
【００１０】
請求項５では、前記第一及び第二のフレームは、共通の形材で構成した。
【００１２】
【発明の実施の形態】
以下、この発明を具体化した簡易衝立の一実施の形態を図面に従って説明する。
【００１３】
図１及び図２に示すように、第一及び第二のフレーム１，２は共通の形材で構成され、その形材は一部を開口した筒状に形成されている。そして、各フレーム１，２の下端に台座３が取着されて、床面上に線対称状に垂立可能となっている。
【００１４】
前記第一のフレーム１内には巻取軸４が回転可能に支持され、その巻取軸４にはスクリーン５が巻着されている。そして、第一のフレーム１の開口部６からスクリーン５を引き出し可能となっている。
【００１５】
前記巻取軸４は、第一のフレーム１内に配設される捩じりコイルスプリング（図示しない）の付勢力により、スクリーン５の巻取り方向に付勢されている。
前記スクリーン５の先端部は、前記第二のフレーム２の開口部７の前部開口縁に取着されている。また、第一及び第二のフレーム１，２の前面には取手８がそれぞれ設けられている。
【００１６】
前記第一のフレーム１の上端部において、前記開口部５の後方に形成された収容溝９には間隔保持棒１０が支軸１０ａを回動支点として回動可能に支持されている。そして、間隔保持棒１０を第一のフレーム１に沿うように下方へ回動させると、図３に示すように、間隔保持棒１０は前記収容溝９内に収容されるようになっている。
【００１７】
図４及び図５に示すように、前記第二のフレーム２の収容溝１１の上端部には、ラッチ部材１２が収容溝１１の後面から出没可能に設けられている。前記ラッチ部材１２はバネにより収容溝９内に露出する方向に付勢されるとともに、第二のフレーム２の後面から突出する操作ノブ１３が取着されている。そして、操作ノブ１３を操作することにより、バネの付勢力に抗してラッチ部材１２の収容溝１１内への突出を解除可能となっている。
【００１８】
また、前記ラッチ部材１２は上方に向かって突出量が大きくなるように収容溝１１内の後側面から突出されて、斜め下方に向かう斜面１４が収容溝１１内に露出される。
【００１９】
上記のように構成された簡易衝立では、第二のフレーム２を第一のフレーム１から離間させて、第一のフレーム１からスクリーン５を引き出し、間隔保持棒１０を上方へ回動させてその先端部を第二のフレーム２の収容溝１１内に挿入しながら回動させると、間隔保持棒１０の先端部がラッチ部材１２を押しのけながら収容溝１１内を上方へ移動する。
【００２０】
そして、間隔保持棒１０がラッチ部材１２を乗り越えると、図５に示すように、ラッチ部材１２がバネの付勢力により収容溝１１内に突出して、間隔保持棒１０を支持する状態となる。
【００２１】
また、スクリーン５を第一のフレーム１内に収容する場合には、操作ノブ１３を引いて、ラッチ部材１２を収容溝１１内から後退させる。
すると、間隔保持棒１０は下方へ回動可能となるため、間隔保持棒１０を下方へ回動させて、第一のフレーム１の収容溝９内に収容する。
【００２２】
次いで、第一及び第二のフレーム１，２を互いに近づく方向に移動させれば、巻取軸４が回転されてスクリーン５が巻取軸４に巻き取られる。そして、図３に示すように、スクリーン５が第一のフレーム１内に収容され、両フレーム１，２が近接した状態に格納される。
【００２３】
上記のように構成された簡易衝立では、次に示す作用効果を得ることができる。
（１）第一及び第二のフレーム１，２を離間させて、第一のフレーム１からスクリーン５を引き出せば、衝立として使用することができる。
（２）スクリーン５を引き出した状態で、間隔保持棒１０をラッチ部材１２上に係合させれば、巻取り軸４に作用するスクリーン巻取り方向の付勢力に抗して、スクリーン５を所定位置まで引出した状態に保持することができる。
（３）間隔保持棒１０をラッチ部材１２に係合させるとき、間隔保持棒１０の先端部を第二のフレーム２の収容溝１１内の下方から上方へ回動させることにより、容易に係合させることができる。
（４）間隔保持棒１０とラッチ部材１２との係合を解除するとき、操作ノブ１３を引けば、その係合を容易に解除することができる。
（５）間隔保持棒１０は、第一のフレーム１の収容溝９に収容することができる。従って、間隔保持棒１０を収容溝９に収容することにより、格納時の美観を向上させることができる。
（６）間隔保持棒１０を第一のフレーム１に収容した状態で、両フレーム１，２を互いに近づく方向に移動させれば、スクリーン５を第一のフレーム１内の巻取軸４に自動的に巻き取って、第一のフレーム１内に収容することができる。
（７）間隔保持棒１０及びラッチ部材１２によりスクリーン５を引き出した状態に保持することができるので、従来のパンタグラフ機構に比して部品点数を削減することができるとともに、組み立て工数を削減することができるので、製造コストを低減することができる。
（８）間隔保持棒１０を収容溝９に収容することができるので、スクリーン５を第一のフレーム１内に収容する格納時の美観を向上させることができる。
（９）第一及び第二のフレーム１，２を共通の形材で構成したので、部品コストを削減することができる。
上記実施の形態は、次に示すように変更することもできる。
・ラッチ部材は、第二のフレーム２の収容溝１１内に突出した状態で固定し、間隔保持棒１０を第二のフレーム２の上方から回動してラッチ部材に係合させるようにしてもよい。
・ラッチ部材１２に代えて、第二のフレーム２の上端部に間隔保持棒１０の先端部を嵌合可能とした凹部を形成してもよい。
・スクリーン５は、手動操作により巻取軸４に巻き取る構成としてもよい。
【００２４】
【発明の効果】
以上詳述したように、この発明はスクリーンを引き出した状態で間隔保持棒により第一及び第二のフレームを所定間隔に容易に保持可能としながら、部品点数を削減して製造コストを低減し得る簡易衝立を提供することができる。また、間隔保持棒を第一のフレームの収容溝に収容することにより、格納時の美観を向上させることができる。
【図面の簡単な説明】
【図１】  一実施の形態の簡易衝立を示す正面図である。
【図２】  一実施の形態の簡易衝立を示す平面図である。
【図３】  スクリーンを収容した状態を示す平面図である。
【図４】  第二のフレームを示す側面図である。
【図５】  第二のフレームの上部を示す側面図である。
【符号の説明】
１          第一のフレーム
２          第二のフレーム
５          スクリーン
１０        間隔保持棒
１２        （保持部）ラッチ部材
【図１】
0003908018.tif 000002
【図２】
0003908018.tif 000003
【図３】
0003908018.tif 000004
【図４】
0003908018.tif 000005
【図５】
0003908018.tif 000006